(57)【要約】【課題】  使用に便利な噴水ワイパの提供。【解決手段】  中空ロッド、ハンドルスイッチ及びワイパヘッドで組成され、ハンドルスイッチ操作によりワイパヘッド内部の噴水機構に噴水させることができる噴水ワイパにおいて、中空ロッドの上端にハンドルスイッチが設けられ、該ハンドルスイッチがワイヤでワイパヘッド内部の可動フックに接続され、可動フックが噴水ポットのノズルスイッチに係合し、且つワイパヘッド底部に交換可能なクロスが設けられている。使用時には、ハンドルスイッチを押すだけでワイヤが可動フックを牽引して噴水機構に噴水させてクロスを湿らせ、フロアや壁のクリーニングを行なうことができ、使用上、十分に便利である。【選択図】        図２
0003103428.tif 000002
【実用新案登録請求の範囲】
【請求項１】
中空ロッド、ハンドルスイッチ及びワイパヘッドで組成された噴水ワイパにおいて、ハンドルスイッチとワイパヘッドは中空ロッドの両端に取り付けられ、ワイパヘッドはケースと噴水ポットで組成され、ケース前方に円孔が開設され、噴水ポットはケース内部に固定され、且つ噴水ポットの前端のノズルが円孔を通り突出し、噴水ポットのノズルスイッチがケース内部の可動フックに係合し、可動フックの回転支点がケースに固定され、並びに中空ロッド内部を通るワイヤでハンドルスイッチに接続され、クロスが下カバーに嵌合され、並びに該クロスが交換可能とされたことを特徴とする、噴水ワイパ。
【請求項２】
請求項１記載の噴水ワイパにおいて、中空ロッドの底端に多方向に回転可能な連接シートが設けられたことを特徴とする、噴水ワイパ。
【請求項３】
請求項１記載の噴水ワイパにおいて、中空ロッド外部に防滑グリップが設けられたことを特徴とする、噴水ワイパ。
【請求項４】
請求項１記載の噴水ワイパにおいて、ハンドルスイッチがハンドルケース、スイッチハンドル、回復バネ、スプリング及びワイヤを具え、回復バネがスイッチハンドルに取り付けられ、且つスプリングの一端がハンドルケースの柄部に固定され、もう一端がワイヤに接続されたことを特徴とする、噴水ワイパ。
【請求項５】
請求項１記載の噴水ワイパにおいて、ケース辺縁の噴水ポット底部に近い位置にスナップリングが設けられて下カバーと接続され、ケースと下カバーのもう一側の結合部分に下カバーの係止部と係合可能な弾性留め具が設けられたことを特徴とする、噴水ワイパ。
【考案の詳細な説明】
【技術分野】
【０００１】
本考案は噴水ワイパに係り、特に、日常生活中に使用される掃除用のワイパであり、それは、中空ロッド、ハンドルスイッチ及びワイパヘッドで構成され、ハンドルスイッチ操作でワイパヘッド内部の噴水機構に噴水させてクロスを湿らせて掃除を行なうことができるものに関する。
【背景技術】
【０００２】
図１に示されるように、日常で使用されるワイパａは、ロッドｂ及びロッドｂの一端に固定されたワイパヘッドｃで構成されている。使用時には、まずワイパヘッドｃに取り付けたクロスｄを湿らせてから、ロッドｂを握持してワイパヘッドｃのクロスｄで床をこする。ワイパａ自体には掃除用の水源がないため、使用過程中にワイパヘッドｃのクロスｄが乾いて床の汚れを落としにくくなるのを防止するため、毎回使用する時にはワイパヘッドｃを十分に水で濡らさなければならない。しかし、このようなワイパは、先に擦る部分の床は湿って水分過多となり乾きにくくなるため、使用に相当に不便である。
【考案の開示】
【考案が解決しようとする課題】
【０００３】
本考案の主要な目的は、一種の噴水ワイパを提供することにあり、それは噴水機構を具え、必要に応じて噴水機構で噴水を行なうことができ、掃除に便利であるものとする。
【課題を解決するための手段】
【０００４】
請求項１の考案は、中空ロッド、ハンドルスイッチ及びワイパヘッドで組成された噴水ワイパにおいて、ハンドルスイッチとワイパヘッドは中空ロッドの両端に取り付けられ、ワイパヘッドはケースと噴水ポットで組成され、ケース前方に円孔が開設され、噴水ポットはケース内部に固定され、且つ噴水ポットの前端のノズルが円孔を通り突出し、噴水ポットのノズルスイッチがケース内部の可動フックに係合し、可動フックの回転支点がケースに固定され、並びに中空ロッド内部を通るワイヤでハンドルスイッチに接続され、クロスが下カバーに嵌合され、並びに該クロスが交換可能とされたことを特徴とする、噴水ワイパとしている。
請求項２の考案は、請求項１記載の噴水ワイパにおいて、中空ロッドの底端に多方向に回転可能な連接シートが設けられたことを特徴とする、噴水ワイパとしている。
請求項３の考案は、請求項１記載の噴水ワイパにおいて、中空ロッド外部に防滑グリップが設けられたことを特徴とする、噴水ワイパとしている。
請求項４の考案は、請求項１記載の噴水ワイパにおいて、ハンドルスイッチがハンドルケース、スイッチハンドル、回復バネ、スプリング及びワイヤを具え、回復バネがスイッチハンドルに取り付けられ、且つスプリングの一端がハンドルケースの柄部に固定され、もう一端がワイヤに接続されたことを特徴とする、噴水ワイパとしている。
請求項５の考案は、請求項１記載の噴水ワイパにおいて、ケース辺縁の噴水ポット底部に近い位置にスナップリングが設けられて下カバーと接続され、ケースと下カバーのもう一側の結合部分に下カバーの係止部と係合可能な弾性留め具が設けられたことを特徴とする、噴水ワイパとしている。
【考案の効果】
【０００５】
本考案の噴水ワイパは、ハンドルスイッチ操作でワイヤを介して可動フックを駆動し、並びに可動フックの動作により噴水ポットのノズルに噴水させることができ、確実に使用時の便利性を増すことができ、実用性、進歩性を有している。
【考案を実施するための最良の形態】
【０００６】
本考案の噴水ワイパは、中空ロッド、ハンドルスイッチ及びワイパヘッドで組成され、ハンドルスイッチとワイパヘッドは中空ロッドの両端に取り付けられ、ワイパヘッドはケースと噴水ポットで組成され、ケース前方に円孔が開設され且つ下カバーを具え、噴水ポットはケース内部に固定され、並びに噴水ポットのノズルが円孔を通り突出し、噴水ポットのノズルスイッチがケース内部の可動フックに係合し、可動フックはハンドルスイッチと、中空ロッド内部に通されたワイヤで接続され、ケースの下カバー底部にクロスが着脱自在に取り付けられる。
【０００７】
以上の構造を使用する時、ただハンドルスイッチを押すだけで中空ロッド内部に通されたワイヤが可動フックを牽引し、可動フックに係合した噴水ポットに開閉動作を行なわせ、噴水ポットのノズルに噴水させてクロスを湿らせ、ハンドルスイッチの操作により必要な水量に自由に調整でき、掃除に便利である。
【実施例１】
【０００８】
図２、３に示されるように、本考案の噴水ワイパは、中空ロッド１０、ハンドルスイッチ２０及びワイパヘッド３０で組成されている。
【０００９】
中空ロッド１０は、中空管体とされ、且つ中空ロッド１０外の適当な位置に防滑グリップ１１が取り付けられ、底端に多方向回転可能な連接シート１２が設けられている。
ハンドルスイッチ２０は、中空ロッド１０の上端に取り付けられ、それは、ハンドルケース２１、スイッチハンドル２２、回復バネ２３、スプリング２４及びワイヤ２５を具え、そのうち、回復バネ２３はスイッチハンドル２２の適当な位置に取り付けられ、且つスプリング２４の一端はハンドルケース２１の柄部に固定され、もう一端はワイヤ２５と接続されている。
【００１０】
ワイパヘッド３０は、中空ロッド１０底端の連接シート１２に固定され、図４に示されるように、ワイパヘッド３０は、ケース３１と噴水ポット３２で組成され、ケース３１前方に円孔３１１が開設され、ケース３１辺縁の噴水ポット３２底部に近い位置にスナップリング３１２が設けられて下カバー３３と接続され、ケース３１と下カバー３３のもう一側の結合部分に弾性留め具３１３が設けられ、下カバー３３の係止部３３１に対応し係合し、クロス３４は下カバー３３に嵌合され、並びに交換可能とされる。噴水ポット３２はケース３１内部に設けられ、並びに噴水ポット３２前端のノズル３２１が円孔３１１より突出し、噴水ポット３２のノズルスイッチ３２１１がケース３１内部に取り付けられた可動フック３１４に係合し、該可動フック３１４の回転支点３１４１がケース３１に固定され、並びに中空ロッド１０内部を通るワイヤ２５に接続されている。
【００１１】
使用時には、図５に示されるように、ハンドルスイッチ２０を押せば、中空ロッド１０内を通るワイヤ２５によりワイパヘッド３０のケース３１内の可動フック３１４が牽引され、相互に係合する可動フック３１４と噴水ポット３２のノズルスイッチ３２１１が動作し、噴水ポット３２のノズル３２１が噴水してクロス３４を湿らせ、ハンドルスイッチ２０で必要に応じて水力を調節でき、掃除に便利である。
【図面の簡単な説明】
【００１２】
【図１】周知のワイパの使用表示図である。
【図２】本考案の立体分解図である。
【図３】本考案の立体組合せ図である。
【図４】本考案のワイパヘッドの立体構造図である。
【図５】本考案の使用表示図である。
【符号の説明】
【００１３】
１０  中空ロッド                      ２０  ハンドルスイッチ
３０  ワイパヘッド                    １１  防滑グリップ
１２  連接シート                      ２１  ハンドルケース
２２  スイッチハンドル                ２３  回復バネ
２４  スプリング                      ２５  ワイヤ
３１  ケース                          ３２  噴水ポット
３１１  円孔                          ３１２  スナップリング
３１３  弾性留め具                    ３１４  可動フック
３１４１  回転支点                    ３２１  ノズル
３２１１  ノズルスイッチ              ３３  下カバー
３３１  係止部                        ３４  クロス
【図１】
0003103428.tif 000003
【図２】
0003103428.tif 000004
【図３】
0003103428.tif 000005
【図４】
0003103428.tif 000006
【図５】
0003103428.tif 000007